(57)【要約】【課題】  良好な通信品質を得ることが可能な移動機、基地局及びこれらを備える無線システム並びに移動機のディジタルフィルタ構成制御方法を提供すること。【解決手段】  ディジタルフィルタ１０４は動的再構成デバイスを有して構成される。移動機１００の測定部１０５が移動機１００の現在の受信状態を表す項目に対して測定し、ＣＰＵ１０７は、その測定結果に対応する特性値を取得し、アンテナ部１０１などを介して基地局２００に送信する。基地局２００は、移動機１００からの特性値を受信し、その特性値を用いて移動機１００の受信状態に応じて最適なディジタルフィルタのコンフィグレーションデータを検索し、移動機１００に送信する。移動機１００が基地局２００からのコンフィグレーションデータを用いてディジタルフィルタ１０４を再構成する。【選択図】  図１
2006222763.tif 000002
【特許請求の範囲】
【請求項１】
移動機と、前記移動機と無線通信を行う基地局とを備える無線システムであって、
前記移動機は、動的再構成デバイスを有して構成されるディジタルフィルタと、前記ディジタルフィルタの動的再構成デバイスのコンフィグレーションデータを記録する記録手段と、前記コンフィグレーションデータに基づいて前記ディジタルフィルタの構成を制御するディジタルフィルタ構成制御手段と、を有する無線システム。
【請求項２】
請求項１記載の無線システムであって、
前記移動機は、前記基地局に対してコンフィグレーションデータの送信を要求するコンフィグレーションデータ送信要求手段を更に有し、
前記基地局は、前記コンフィグレーションデータを格納するコンフィグレーションデータ格納手段と、前記移動機からの要求に応じて、前記格納されているコンフィグレーションデータを読み出して前記移動機へ送信するコンフィグレーションデータ送信手段と、を有する無線システム。
【請求項３】
請求項２記載の無線システムであって、
前記移動機は、前記基地局から受信した信号の受信状態を測定する受信状態測定手段を更に有し、
前記コンフィグレーションデータ送信要求手段は、前記測定された受信状態を前記基地局に送信する無線システム。
【請求項４】
請求項３記載の無線システムであって、
前記コンフィグレーションデータ格納手段は、前記移動機の受信状態に応じた一つ以上のコンフィグレーションデータを格納し、
前記コンフィグレーションデータ送信手段は、前記移動機から受信した受信状態に基づいて、前記コンフィグレーションデータ格納手段からコンフィグレーションデータを選択して読み出して前記移動機へ送信する無線システム。
【請求項５】
請求項４記載の無線システムであって、
前記移動機の受信状態は、該受信状態の測定パラメータの値に応じて複数の受信状態に分類され、前記コンフィグレーションデータは、前記分類された受信状態毎に対応して定義されるものであり、
前記移動機は、前記分類された受信状態をコンフィグレーションデータ識別情報として、前記測定パラメータの値と対応付けて記憶するパラメータ記憶手段を更に有し、前記コンフィグレーションデータ送信要求手段は、前記測定された測定パラメータの値に基づいて、前記測定された値に応じたコンフィグレーションデータ識別情報を生成し、前記基地局に送信する無線システム。
【請求項６】
請求項５記載の無線システムであって、
前記コンフィグレーションデータ格納手段は、前記コンフィグレーションデータを、前記コンフィグレーションデータ識別情報と対応付けて格納し、
前記コンフィグレーションデータ送信手段は、前記移動機から受信したコンフィグレーションデータ識別情報に基づいて、前記コンフィグレーションデータ格納手段からコンフィグレーションデータを選択して読み出す無線システム。
【請求項７】
基地局と無線通信を行う移動機であって、
動的再構成デバイスを有して構成されるディジタルフィルタと、
前記ディジタルフィルタの動的再構成デバイスのコンフィグレーションデータを記録する記録手段と、
前記コンフィグレーションデータに基づいて前記ディジタルフィルタの構成を制御するディジタルフィルタ構成制御手段と、
を備える移動機。
【請求項８】
移動機と無線通信を行う基地局であって、
前記移動機に設けられた、動的再構成デバイスを有して構成されるディジタルフィルタのコンフィグレーションデータを格納するコンフィグレーションデータ格納手段と、
前記移動機からの要求に応じて、前記格納されているコンフィグレーションデータを読み出して前記移動機へ送信するコンフィグレーションデータ送信手段と、
を備える基地局。
【請求項９】
基地局と無線通信を行う移動機のディジタルフィルタ構成制御方法であって、
動的再構成デバイスを有して構成されるディジタルフィルタの、該動的再構成デバイスのコンフィグレーションデータを記録するステップと、
前記コンフィグレーションデータに基づいて前記ディジタルフィルタの構成を制御するステップと、
を有するディジタルフィルタ構成制御方法。
【発明の詳細な説明】
【技術分野】
【０００１】
本発明は、移動機、基地局及びこれらを備える無線システム並びに移動機のディジタルフィルタ構成制御方法に関する。
【背景技術】
【０００２】
基地局と移動機とが無線通信を行う、例えば移動体通信システム等の無線システムでは、例えば基地局から移動機への電波の伝播形態として、基地局から発信された電波が直接移動機に到達する見通し内伝播と、地表、人工物、自然物などに一回又は複数回、跳ね返って移動機に到達する伝播とがある。
【０００３】
図６は、無線システム及び電波の伝播形態を示す説明図である。図６に示すように、無線システムは、基地局６０１と移動機６０６とを有して構成される。基地局６０１は、無線により移動機６０６とデータの送受信を行う。基地局６０１は、ネットワーク６０２に接続されており、ネットワーク６０２内で他の基地局間のデータ通信、基幹ネットワーク内でのデータ通信を行い、移動機どうしの無線通信ネットワーク網を構成する。なお、ネットワーク６０２は、基地局と基地局との通信、インターネットなどのネットワークと接続されておりデータ通信網を構成するネットワークである。
【０００４】
自然物６０３は、山や丘など基地局６０１から送信される電波を反射／吸収し、伝播を妨げるものである。人工物６０４は、ビルディングなど基地局６０１から送信される電波を反射／吸収し、伝播を妨げるものである。ノイズ発生源６０５は、例えば車や電車等の電磁波を発生し、基地局６０１から送信される電波と干渉することで伝播を妨害するものである。
【０００５】
移動機６０６は、見通し内伝播と自然物６０３による反射波との干渉、見通し内伝播と人工物６０４による反射波との干渉、見通し内伝播とノイズ発生源６０５による反射波との干渉など、無数の干渉を受けて、基地局６０１から発信された電波を受信する。
【０００６】
ユーザはこのような移動機６０６を携帯して、移動することができ、通信を行いたい場所で移動機６０６を起動し、基地局６０１との通信回線を確保することにより、通信相手と通話やデータの送受信を行うことができる。移動機６０６は、ユーザに携帯されており、いろいろな場所まで移動されることにより、電波の受信状況は、刻々と変化する。
【０００７】
このように、移動機が受信している電波状態は場所によって、あるいは外部環境によって、多様である。従来、移動機が受信している電波状態が悪い場合に、移動機の受信部が持つディジタルフィルタのタップ数を増やすことによって、フィルタ特性を改善し、所望の特性に近づける方法が一般的に採用されている。
【０００８】
この種の受信装置として、例えば、無線通信の電波伝播状況が悪い場合、チャネル分離フィルタのタップ数を標準のタップ数から増やしてフィルタ特性を改善し、受信特性を向上させるものがあった（例えば、特許文献１参照）。一方、無線通信の電波伝播状況が良い場合、チャネル分離フィルタのタップ数を標準のタップ数から減らしてフィルタ特性を緩やかにすることができる。
【０００９】
また、複数のディジタルフィルタを搭載し、受信される電波の状況に応じて、最適なディジタルフィルタを選択し、所望の特性に近づける方法も考案されている。
【００１０】
また、ディジタルフィルタの構成を最適化することにより、回路規模を削減する方法や特性を改善する方法についても多数考案されている。
【特許文献１】特開２００１−１４４８２４号公報
【発明の開示】
【発明が解決しようとする課題】
【００１１】
しかしながら、移動機に搭載されるバンドパスフィルタを構成するディジタルフィルタはコストが高いため、全ての受信する電波の状況に適応させるために複数個のディジタルフィルタを搭載することは非常に困難である。また、ディジタルフィルタは、ハードウェアとして固定であるため、フィルタのタップ数の変更、構成変更などを受信する電波の状況に適応するには限界がある。
【００１２】
そのため、特定の電波の受信状態では良好な通信が可能であるが、それ以外での電波の受信状態での通信品質は犠牲にせざるを得なかったという事情があった。
【００１３】
本発明は、上記従来の事情に鑑みてなされたものであって、良好な通信品質を得ることが可能な移動機、基地局及びこれらを備える無線システム並びに移動機のディジタルフィルタ構成制御方法を提供することを目的とする。
【課題を解決するための手段】
【００１４】
本発明の無線システムは、移動機と、前記移動機と無線通信を行う基地局とを備える無線システムであって、前記移動機は、動的再構成デバイスを有して構成されるディジタルフィルタと、前記ディジタルフィルタの動的再構成デバイスのコンフィグレーションデータを記録する記録手段と、前記コンフィグレーションデータに基づいて前記ディジタルフィルタの構成を制御するディジタルフィルタ構成制御手段と、を有する。
【００１５】
この構成により、移動機に設けられるディジタルフィルタは動的再構成することが可能であるので、移動機は良好な通信品質を得ることができる。
【００１６】
また、本発明の無線システムにおいて、前記移動機は、前記基地局に対してコンフィグレーションデータの送信を要求するコンフィグレーションデータ送信要求手段を更に有し、前記基地局は、前記コンフィグレーションデータを格納するコンフィグレーションデータ格納手段と、前記移動機からの要求に応じて、前記格納されているコンフィグレーションデータを読み出して前記移動機へ送信するコンフィグレーションデータ送信手段と、を有する。
【００１７】
この構成により、基地局が移動機にコンフィグレーションデータを送信するので、移動機は、少なくとも設定すべきコンフィグレーションデータのみを格納すればよいので、移動機に要求される記憶容量を抑制することができる。
【００１８】
また、本発明の無線システムにおいて、前記移動機は、前記基地局から受信した信号の受信状態を測定する受信状態測定手段を更に有し、前記コンフィグレーションデータ送信要求手段は、前記測定された受信状態を前記基地局に送信する。
【００１９】
この構成により、移動機は、受信状態に応じて、基地局に対するコンフィグレーションデータの要求を行うことができる。
【００２０】
また、本発明の無線システムにおいて、前記コンフィグレーションデータ格納手段は、前記移動機の受信状態に応じた一つ以上のコンフィグレーションデータを格納し、前記コンフィグレーションデータ送信手段は、前記移動機から受信した受信状態に基づいて、前記コンフィグレーションデータ格納手段からコンフィグレーションデータを選択して読み出して前記移動機へ送信する。
【００２１】
この構成により、基地局は、移動機の受信状態に応じたコンフィグレーションデータを読み出して移動機に送信するので、移動機は、受信状態に応じたディジタルフィルタを構成することができる。
【００２２】
また、本発明の無線システムにおいて、前記移動機の受信状態は、該受信状態の測定パラメータの値に応じて複数の受信状態に分類され、前記コンフィグレーションデータは、前記分類された受信状態毎に対応して定義されるものであり、前記移動機は、前記分類された受信状態をコンフィグレーションデータ識別情報として、前記測定パラメータの値と対応付けて記憶するパラメータ記憶手段を更に有し、前記コンフィグレーションデータ送信要求手段は、前記測定された測定パラメータの値に基づいて、前記測定された値に応じたコンフィグレーションデータ識別情報を生成し、前記基地局に送信する。
【００２３】
この構成により、移動機は、測定されたパラメータの値に基づき、分類された受信状態をコンフィグレーションデータ識別情報として送信するので、基地局に対して受信状態を少ないデータ量で通知することができる。
【００２４】
また、本発明の無線システムにおいて、前記コンフィグレーションデータ格納手段は、前記コンフィグレーションデータを、前記コンフィグレーションデータ識別情報と対応付けて格納し、前記コンフィグレーションデータ送信手段は、前記移動機から受信したコンフィグレーションデータ識別情報に基づいて、前記コンフィグレーションデータ格納手段からコンフィグレーションデータを選択して読み出す。
【００２５】
この構成により、基地局は、コンフィグレーション識別情報からコンフィグレーションデータを選択して読み出すので、容易にコンフィグレーションデータの検索を行うことができる。
【００２６】
本発明の移動機は、基地局と無線通信を行う移動機であって、動的再構成デバイスを有して構成されるディジタルフィルタと、前記ディジタルフィルタの動的再構成デバイスのコンフィグレーションデータを記録する記録手段と、前記コンフィグレーションデータに基づいて前記ディジタルフィルタの構成を制御するディジタルフィルタ構成制御手段と、を備える。
【００２７】
この構成により、移動機に設けられるディジタルフィルタは動的再構成することが可能であるので、移動機は良好な通信品質を得ることができる。
【００２８】
本発明の基地局は、移動機と無線通信を行う基地局であって、前記移動機に設けられた、動的再構成デバイスを有して構成されるディジタルフィルタのコンフィグレーションデータを格納するコンフィグレーションデータ格納手段と、前記移動機からの要求に応じて、前記格納されているコンフィグレーションデータを読み出して前記移動機へ送信するコンフィグレーションデータ送信手段と、を備える。
【００２９】
この構成により、基地局は、移動機の要求に応じてコンフィグレーションデータを送信するので、移動機に設けられるディジタルフィルタを動的再構成することが可能であるので、移動機が良好な通信品質を得られるように制御することができる。
【００３０】
本発明のディジタルフィルタ構成制御方法は、基地局と無線通信を行う移動機のディジタルフィルタ構成制御方法であって、動的再構成デバイスを有して構成されるディジタルフィルタの、該動的再構成デバイスのコンフィグレーションデータを記録するステップと、前記コンフィグレーションデータに基づいて前記ディジタルフィルタの構成を制御するステップと、を有する。
【００３１】
この方法により、移動機に設けられるディジタルフィルタは動的再構成することが可能であるので、移動機は良好な通信品質を得ることができる。
【発明の効果】
【００３２】
本発明によれば、良好な通信品質を得ることが可能な移動機、基地局及びこれらを備える無線システム並びに移動機のディジタルフィルタ構成制御方法を提供することができる。
【発明を実施するための最良の形態】
【００３３】
図１は、本発明の実施形態に係る移動機の概略構成を示すブロック図である。図１に示すように、移動機１００は、アンテナ部１０１と、復調部１０２と、変調部１０３と、ディジタルフィルタ１０４と、測定部１０５と、信号処理部１０６と、ＣＰＵ１０７と、入力部１０８と、記録部１０９と、マイク１１０と、スピーカ１１１と、表示部１１２とを有して構成される。
【００３４】
アンテナ部１０１は、アンテナとスイッチにより構成され、無線信号の送受信を行い、１本のアンテナを時分割で送信と受信を切り替えて使用する。
【００３５】
復調部１０２は、アンテナ部１０１からの無線信号を復調し、ディジタルフィルタ１０４を介して信号処理部１０６に出力する。変調部１０３は、信号処理部１０６からの出力を変調し、アンテナ部１０１に出力する。
【００３６】
ディジタルフィルタ１０４は、受信側のディジタルフィルタであり、復調部１０２で復調された信号の特定の周波数成分のみを切り出すバンドパスフィルタ等を含む。そして、復調された無線信号から所望の信号のみを取り出して信号処理部１０６及び測定部１０５に出力する。
【００３７】
また、このディジタルフィルタ１０４は、動的再構成デバイスで構成され、動作中に論理の書換えが可能である。動的再構成デバイスには論理を実現する論理ブロックと、論理を構成するためのコンフィグレーションデータ（以降、コンフィグデータと略す）を格納する記録手段の一例であるコンフィグレーションデータ格納メモリ（以降、コンフィグメモリと略す）が搭載されており、コンフィグメモリに格納されたコンフィグデータを論理ブロックにロードすることにより、論理の動的再構成を実現する。更に、この動的再構成は、回路の動作中に、１クロック期間内に実施させることが可能である。
【００３８】
測定部１０５は、受信状態測定手段の一例であって、受信側のディジタルフィルタ１０４から出力された信号により、移動機１００が受信している電波の品質を測定し、ＣＰＵ１０７に出力する。ここで、ディジタルフィルタ１０４から出力された信号に対して測定を行う時、移動機１００の受信状態を示す所定の測定パラメータ値を測定する。例えば、４つのパラメータで移動機１００の受信状態を示すとき、その４つのパラメータを項目１，２，３，４で表し、その項目１，２，３，４の値を測定する。
【００３９】
信号処理部１０６は、受信側のディジタルフィルタ１０４からの出力に信号処理を施し、スピーカ１１１に音声信号を出力し、マイク１１０からの音声出力に信号処理を施し、変調部１０３に出力する。更に、復調部１０２で復調され、受信側のディジタルフィルタ１０４で切り出された各種データに信号処理を施してＣＰＵ１０７に出力し、ＣＰＵ１０７から出力される各種データに信号処理を施して変調部１０３に出力する。
【００４０】
ＣＰＵ１０７は、フィルタ構成制御手段やコンフィグレーションデータ要求手段の一例であって、移動機１００全体の制御、記録部１０９への読み出し／書き込みなどの処理を行う。ここで、ＣＰＵ１０７は、移動機１００の受信状態を示す幾つかのパラメータ値とそれらのパラメータ値に対応する特性値を用い、測定部１０５から入力されたパラメータ値より特性値を取得する。例えば、測定部１０５から項目１，２，３，４の値が入力されたとき、その項目１，２，３，４の値に対応する特性値を生成する。また、後述する基地局２００からディジタルフィルタのコンフィグデータを受信したとき、ディジタルフィルタ１０４が搭載している論理ブロックにそのコンフィグデータをロードさせ、ディジタルフィルタ１０４における論理の動的再構成の制御を行う。
【００４１】
入力部１０８は、数字キーや文字キーなどで構成されるキーボードやスイッチ、スクロールバーなどから構成され、ユーザからの入力情報を入力し、ＣＰＵ１０７に出力する。
【００４２】
記録部１０９は、パラメータ記憶手段の一例であって、半導体メモリなどにより構成され、ＣＰＵ１０７を介して各種データの保存、及び読み出しが行われる。
【００４３】
マイク１１０は、音声を電気信号に変換し、信号処理部１０６に出力する。スピーカ１１１は、信号処理部１０６の出力信号を音声に変換し、出力する。表示部１１２は、ＬＣＤなどを含み、入力部１０８からの入力情報や無線システムの制御情報などを表示する。
【００４４】
図２は、本発明の実施形態に係る基地局の概略構成を示すブロック図である。図２に示すように、基地局２００は、アンテナ部２０１と、復調部２０２と、変調部２０３と、信号処理部２０４と、データベース２０５と、ＣＰＵ２０６と、操作部２０７とを有して構成される。
【００４５】
アンテナ部２０１は、アンテナとスイッチにより構成され、無線信号の送受信を行い、１本のアンテナを時分割で送信と受信を切り替えて使用する。
【００４６】
復調部２０２は、アンテナ部２０１からの無線信号を復調し、信号処理部２０４に出力する。変調部２０３は、信号処理部２０４からの出力を変調し、アンテナ部２０１に出力する。信号処理部２０４は、復調部２０２からの出力に信号処理を施してＣＰＵ２０６に出力し、ＣＰＵ２０６からの入力に信号処理を施して変調部２０３に出力する。
【００４７】
データベース２０５は、コンフィグレーションデータ格納手段の一例であって、ハードディスクや半導体メモリなどから構成され、基地局２００の動作に必要なデータ、移動機１００が受信している電波の状態に対応する受信側のディジタルフィルタ１０４のコンフィグデータを格納する。
【００４８】
ＣＰＵ２０６は、コンフィグレーションデータ送信手段の一例であって、基地局２００全体の制御、データベース２０５への読み出し／書き込みなどの処理を行う。ここで、ＣＰＵ２０６は、アンテナ部２０１などを介して移動機１００からの特性値を受信したとき、その特性値を用いてデータベース２０５が格納しているコンフィグデータの中から移動機１００の受信状態に応じて最適なディジタルフィルタのコンフィグデータを検索し、アンテナ部２０１などを介して検索して得たコンフィグデータを移動機１００に送信する。
【００４９】
操作部２０７は、キーボードなどから構成され、メンテナンス時などにオペレータが基地局２００の操作をする際に、ＣＰＵ２０６に対して制御情報を入力する。
【００５０】
以上のように構成された移動機１００及び基地局２００を備える無線システムについて、図３及び図４に示すフローチャートに基づいて、フィルタ変更時の動作を説明する。図３及び図４は、本発明の実施形態に係る移動機のディジタルフィルタ構成制御方法を示すフローチャートである。
【００５１】
まず、ユーザは移動機１００を起動し、通話相手を決定して、発呼し、移動機１００は基地局２００との通信を開始する（ステップＳ３０１）。移動機１００は基地局２００との間で同期を獲得し、通話相手との通信回線を確保する（ステップＳ３０２）。
【００５２】
ステップＳ３０２で同期を獲得後、ＣＰＵ１０７は、受信側のディジタルフィルタ１０４を変更するか否かを判断する（ステップＳ３０３）。
【００５３】
ステップＳ３０３において、受信側ディジタルフィルタ１０４の特性を変更する必要があると判定した場合、受信側ディジタルフィルタ１０４の特性を変更する（ステップＳ３０４）。ここで、ＣＰＵ１０７は、記録部１０９から受信側ディジタルフィルタ１０４の特性を変更するために、動的再構成デバイスのコンフィグデータを読み出す。次に、ＣＰＵ１０７は、読み出したコンフィグデータを受信側のディジタルフィルタ１０４のコンフィグメモリに書き込む。次に、ＣＰＵ１０７は、ディジタルフィルタ１０４に対し制御信号を出力し、コンフィグメモリから論理ブロックへコンフィグデータをロードさせ、ディジタルフィルタ１０４の特性変更を行い、ステップＳ３０５に進む。
【００５４】
一方、ステップＳ３０３において、起動後初めての場合は測定部１０５での測定結果が無い、あるいは測定部１０５の測定結果が前回の計算結果との差分が小さく、受信側ディジタルフィルタ１０４の特性を変更する必要がないと判定した場合、ステップＳ３０５に進む。
【００５５】
ステップＳ３０５では、ＣＰＵ１０７は、測定部１０５に制御信号を出力し、受信側のディジタルフィルタ１０４の出力から移動機１００の受信している電波の品質を測定する。
【００５６】
測定部１０５は、移動機１００の受信している電波の品質を示す項目に対して測定し、測定結果をＣＰＵ１０７に出力する。例えば、本実施形態では、所定の項目１，２，３，４に対して測定する。
【００５７】
ＣＰＵ１０７は、測定部１０５が出力した測定結果を計算／整理し、項目１，２，３，４の測定値に対応する特性値を決定する（ステップＳ３０６）。ＣＰＵ１０７は、図５に示すような各項目値と特性値の対応関係を示すテーブルを用い、測定部１０５が出力した測定結果からその測定結果に対応する特性値を決定する。
【００５８】
図５は、測定パラメータの項目と特性値との対応例を示す図であり、測定した結果を計算した項目が４項目であった場合、各項目値と対応する特性値の例を示す。
【００５９】
図５に示すように、項目３の値が１００以上であった場合、他の項目の値には無関係に、特性値は０となることを意味する。また、項目４の値が５０以上であった場合、他の項目の値には無関係に、特性値は５となることを意味する。また、項目１の値が２０以上３０未満であり、項目３の値が１００未満であり、項目４の値が５０未満であった場合、特性値は１となる。また、項目１の値が３０以上Ｓ４０未満であり、項目２の値が５以上９未満であり、項目３が１００未満であり、項目４が５０未満であった場合、特性値は２となる。また、項目１の値が３０以上Ｓ４０未満であり、項目２の値が９以上１４未満であり、項目３が１００未満であり、項目４が５０未満であった場合、特性値は３となる。また、項目１の値がＳ４０以上５０未満であり、項目２の値が１４以上であり、項目３が１００未満であり、項目４が５０未満であった場合、特性値は４となる。なお、本発明の実施の形態では、各項目の値は、図５に示した関係の値以外にはならないものを仮定している。
【００６０】
ここで、あらかじめ実験やシミュレーションで得られた各項目の値に応じたディジタルフィルタの特性を定め、特性値と一対一に対応づけることで、現在の各項目の測定値から、その電波状態に最適なディジタルフィルタを比較的容易に選択することが可能となる。更に、移動機１００から特性値のみを基地局２００に送信するのみで、基地局２００はコンフィグデータを検索することが可能であるため、移動機１００から送信するデータ量を少なくすることが可能である。また、基地局２００で実施されるコンフィグデータのデータベース検索も容易にすることが可能である。
【００６１】
ＣＰＵ１０７はステップＳ３０６で算出した受信側のディジタルフィルタ１０４の特性値を基地局２００に送信する（ステップＳ３０７）。ＣＰＵ１０７は、ステップＳ３０６で算出した特性値を信号処理部１０６に出力し、信号処理部１０６は、ＣＰＵ１０７から出力された特性値を基地局２００に無線で送信するために必要なフォーマットに変換し、変調部１０３に出力する。変調部１０３は信号処理部１０６の出力を変調し、アンテナ部１０１から無線で基地局２００に送信する。このようにして、移動機１００は、基地局２００に対してコンフィグレーションデータの要求を行う。
【００６２】
基地局２００が移動機１００から送信される受信側ディジタルフィルタ１０４からのコンフィグレーションデータの要求（具体的には、特性値）が送信されるのを待つ（ステップＳ３０８）。
【００６３】
基地局２００は、移動機１００から送信される受信側ディジタルフィルタ１０４の特性値を受信する（ステップＳ３０９）。アンテナ部２０１は、移動機１００からの送信される特性値を受信し、復調部２０２に出力し、復調部２０２は、受信データを復調し、信号処理部２０４に出力する。信号処理部２０４は、復調部２０２の出力に信号処理を施し、ＣＰＵ２０６に出力する。
【００６４】
ＣＰＵ２０６は、信号処理部２０４から出力される受信側ディジタルフィルタ１０４の特性値を読み出し／分析することで、現在の移動機１００が受信している電波状態を認識する（ステップＳ３１０）。
【００６５】
ＣＰＵ２０６は、受信した特性値をもとに、データベース２０５に格納されているコンフィグデータの中から移動機１００の受信状態に応じて最適なディジタルフィルタのコンフィグデータを検索する（ステップＳ３１１）。
【００６６】
ＣＰＵ２０６はデータベース２０５から、移動機１００の受信している電波状態に最適なコンフィグデータを読み出す（ステップＳ３１２）。
【００６７】
基地局２００は、ステップＳ３１２で読み出したコンフィグデータを移動機１００に対して送信する（ステップＳ３１３）。ＣＰＵ２０６は、読み出したコンフィグデータを信号処理部２０４に送信し、信号処理部２０４は信号処理を施し、変調部２０３に出力する。変調部２０３は、信号処理部２０４の出力信号を変調し、アンテナ部２０１から無線により移動機１００に送信する。
【００６８】
移動機１００が基地局２００からのコンフィグデータを待つ（ステップＳ３１４）。ＣＰＵ１０７は、基地局２００からのコンフィグデータの送信が開始されたらステップＳ３１５に移行し、開始されなかったらステップＳ３１４を繰り返す。
【００６９】
基地局２００からコンフィグデータが送信されてきた場合、移動機１００は、そのコンフィグデータを受信する（ステップＳ３１５）。アンテナ部１０１は、基地局２００からの送信されるコンフィグデータを受信し、復調部１０２に出力し、復調部１０２は、受信したコンフィグデータを復調し、受信側ディジタルフィルタ１０４に出力し、受信側ディジタルフィルタ１０４は、復調された信号から所望の信号を取り出し、信号処理部１０６に出力し、信号処理部１０６は、信号処理を施してＣＰＵ１０７に出力する。
【００７０】
ＣＰＵ１０７は信号処理部１０６から出力されるコンフィグデータを受け取り、記録部１０９に格納する（ステップＳ３１６）。そして、記録部１０９に格納されたコンフィグデータを読み出す（ステップＳ３１７）。
【００７１】
ＣＰＵ１０７はステップ３１１で読み出したコンフィグデータを受信側ディジタルフィルタ１０４のコンフィグメモリに格納する（ステップＳ３１８）。
【００７２】
以降、ステップＳ３０２に戻り、移動機１００は通信が継続する限り、ステップＳ３０２からステップＳ３１８を繰り返し、実行する。
【００７３】
このような本発明の実施形態に係るフィルタ変更制御装置によれば、移動機１００の測定部１０５が移動機１００の現在の受信状態を表す項目に対して測定し、ＣＰＵ１０７は、その測定結果に対応する特性値を取得し、アンテナ部１０１などを介して基地局２００に送信する。基地局２００は、移動機１００からの特性値を受信し、その特性値を用いて移動機１００の受信状態に応じて最適なディジタルフィルタのコンフィグデータを検索し、移動機１００に送信する。移動機１００は、必要に応じて、基地局２００から送信されたコンフィグデータを用いてディジタルフィルタ１０４を再構成する。これによって、移動機が受信している電波の状態に応じてディジタルフィルタの動的再構成を実現することができ、移動機は良好な通信品質を得ることが可能となる。
【産業上の利用可能性】
【００７４】
本発明は、良好な通信品質を得ることが可能な効果を有し、移動機、基地局及びこれらを備える無線システム並びに移動機のディジタルフィルタ構成制御方法等に有用である。
【図面の簡単な説明】
【００７５】
【図１】本発明の実施形態に係る移動機の概略構成を示すブロック図
【図２】本発明の実施形態に係る基地局の概略構成を示すブロック図
【図３】本発明の実施形態に係る移動機のディジタルフィルタ構成制御方法を示すフローチャート
【図４】本発明の実施形態に係る移動機のディジタルフィルタ構成制御方法を示すフローチャート
【図５】測定パラメータの項目と特性値との対応例を示す図
【図６】無線システム及び電波の伝播形態を示す説明図
【符号の説明】
【００７６】
１００  移動機
１０１、２０１  アンテナ部
１０２、２０２  復調部
１０３、２０３  変調部
１０４  ディジタルフィルタ
１０５  測定部
１０６、２０４  信号処理部
１０７、２０６  ＣＰＵ
１０８  入力部
１０９  記録部
１１０  マイク
１１１  スピーカ
１１２  表示部
２００  基地局
２０５  データベース
２０７  操作部
【図１】
2006222763.tif 000003
【図２】
2006222763.tif 000004
【図３】
2006222763.tif 000005
【図４】
2006222763.tif 000006
【図５】
2006222763.tif 000007
【図６】
2006222763.tif 000008